(57)【特許請求の範囲】
【請求項１】
シールド電線の複数のシールド線端末に圧着した端子が挿入される複数の端子収容室を備えたインナーハウジングと、前記インナーハウジングを覆うシールド部と前記シールド電線のシース部を固定するバレル部とを備えたシールドシェルと、を備えたシールドコネクタであって、
前記インナーハウジングが、前記複数の端子収容室における一部の端子収容室を構成する端子挿入側部分と、前記端子挿入側部分が端子挿入方向と交差する方向に合体されてその段部に保持される段付インナーハウジングとを備えることにより、複数の端子群ごとに前記端子が前記複数の端子収容室に挿入可能とされることを特徴とするシールドコネクタ。
【請求項２】
シールド電線の複数のシールド線端末に端子を圧着接続し、
複数の端子収容室における一部の端子収容室を構成する端子挿入側部分と、前記端子挿入側部分が端子挿入方向と交差する方向に合体されてその段部に保持される段付インナーハウジングとを備えるインナーハウジングのそれぞれの端子収容室に複数の端子群ごとに前記端子を挿入し、
前記段付インナーハウジングの段部に前記端子挿入側部分を合体し、
合体した前記インナーハウジングをシールドシェルのシールド部に装着し、
前記シールド電線のシース部を前記シールドシェルのバレル部で固定することを特徴とするシールドコネクタの組立方法。
【発明の詳細な説明】
【技術分野】
【０００１】
本発明は、シールドコネクタ及びシールドコネクタの組立方法に関する。
【背景技術】
【０００２】
複数本の素線を撚り合わせてなる導体を絶縁被覆層で覆った信号線を複数本有する多芯線型シールドケーブルに接続してなるシールドコネクタが知られている（例えば、特許文献１参照）。
この種のケーブル側のシールドコネクタ５０１を図６に示す。
シールドケーブル（シールド電線）５１０は、複数の素線を撚り合わせてなる導体５１１ａの周囲を絶縁被覆層５１１ｂで覆った信号線５１１と複数本の銅素線を撚り合わせてなるドレイン線５１２とを金属箔５０３で覆い、さらに金属箔５０３の外周を絶縁外被５１４で被覆してなる。
【０００３】
シールドコネクタ５０１は、シールドケーブル５１０の端末部の信号線５１１とドレイン線５１２とを露出させ、これらの端末部を端子５２０，５２０，５２０にそれぞれ接続し、この端子５２０，５２０，５２０を誘電体（インナーハウジング）５３０の端子収容部５３１，５３１，５３１に収容し、さらに、この誘電体５３０の外周にドレイン線５１２に接続した中央に位置する端子５２０と電気的に導通接続させる金属製の外導体シェル５４０を装着してなるものである。
【先行技術文献】
【特許文献】
【０００４】
【特許文献１】特開２００３−１７３８２８号公報
【発明の概要】
【発明が解決しようとする課題】
【０００５】
ところで、ＵＳＢ２．０（高速伝送用差動コネクタ）などのシールド電線は、図７に示すように、伝送性能、耐ノイズ性能を満足させるため、特殊なシールド電線６０３が用いられる。このシールド電線６０３は単体で性能を満足させる構造となっているため、端子６０５とのつなぎ部６２５ではシールド電線６０３の絶縁外被６１５やシールド箔６２７の皮６２９を剥ぐ必要がある。そのため、皮６２９を剥いでいる部分は、インピーダンス不整合を引き起こし、伝送性能が悪くなるため、皮６２９を剥ぐ距離は短ければ短いほどよい。
【０００６】
しかしながら、シールド電線６０３の皮６２９を剥ぐ距離を短くしていると、シールド電線６０３に端子６０５を圧着した状態の端子装着シールド電線６０７をインナーハウジング６０９に挿入する際、端子６０５の向きを合わせ、全て（ＵＳＢ２．０の場合は４本）の端子装着シールド電線６０７を同時に挿入したり、半挿入の状態を意図的に作り、一度揃えるなどの作業が必要になってしまう。これらの同時挿入作業や、半挿入状態の揃え作業は、インナーハウジング６０９への端子６０５の組付作業性を低下させた。
【０００７】
本発明は上記状況に鑑みてなされたもので、その目的は、シールド電線の皮を剥ぐ長さが短い場合でも端子の挿入作業が容易になるシールドコネクタ及びシールドコネクタの組立方法を提供することにある。
【課題を解決するための手段】
【０００８】
本発明に係る上記目的は、下記構成により達成される。
（１）  シールド電線の複数のシールド線端末に圧着した端子が挿入される複数の端子収容室を備えたインナーハウジングと、前記インナーハウジングを覆うシールド部と前記シールド電線のシース部を固定するバレル部とを備えたシールドシェルと、を備えたシールドコネクタであって、前記インナーハウジングが、前記複数の端子収容室における一部の端子収容室を構成する端子挿入側部分と、前記端子挿入側部分が端子挿入方向と交差する方向に合体されてその段部に保持される段付インナーハウジングとを備えることにより、複数の端子群ごとに前記端子が前記複数の端子収容室に挿入可能とされることを特徴とするシールドコネクタ。
【０００９】
上記（１）の構成のシールドコネクタによれば、インナーハウジングが、複数の端子収容室における一部の端子収容室を構成する端子挿入側部分と、端子挿入側部分が端子挿入方向と交差する方向に合体されてその段部に保持される段付インナーハウジングとに分割されているので、一部の端子収容室は、端子挿入側部分を開放した状態で、端子を挿入することができ、全ての端子を同時に複数の端子収容室に挿入する必要がなくなる。これにより、シールド電線の皮を剥ぐ長さが短く、つなぎ部の剛性が高い端子装着シールド電線の場合であっても、小分けした端子群ごとに端子を複数の端子収容室に挿入することができ、隣接する端子装着シールド電線同士の干渉が生じ難くなるので、端子挿入作業が容易となる。
【００１２】
（２）  シールド電線の複数のシールド線端末に端子を圧着接続し、複数の端子収容室における一部の端子収容室を構成する端子挿入側部分と、前記端子挿入側部分が端子挿入方向と交差する方向に合体されてその段部に保持される段付インナーハウジングとを備えるインナーハウジングのそれぞれの端子収容室に複数の端子群ごとに前記端子を挿入し、前記段付インナーハウジングの段部に前記端子挿入側部分を合体し、合体した前記インナーハウジングをシールドシェルのシールド部に装着し、前記シールド電線のシース部を前記シールドシェルのバレル部で固定することを特徴とするシールドコネクタの組立方法。
【００１３】
上記（２）のシールドコネクタの組立方法によれば、従来、一度に挿入されていた端子装着シールド電線の端子が、数の少ない端子群に分けて挿入される。数の少ない端子群では、端子群全体でのつなぎ部の剛性が低く抑えられる。また、多数の端子収容室が隣接していた一体のインナーハウジングに比べ、一部の端子収容室は、端子挿入側部分を開放した状態で、端子を挿入することができ、全ての端子を同時に複数の端子収容室に挿入する必要がなくなるので、複数の端子収容室への端子挿入時に、端子装着シールド電線同士の干渉が生じ難くなり、端子挿入作業が容易となる。
【発明の効果】
【００１４】
本発明に係るシールドコネクタによれば、分割したインナーハウジングの端子収容室には、複数の少ない端子群ごとに端子をそれぞれ挿入することができるので、シールド電線の皮を剥ぐ長さが短い場合でも端子の挿入作業が容易になる。
また、本発明に係るシールドコネクタの組立方法によれば、本数の少ない端子群ごとに端子を各インナーハウジングの端子収容室に挿入した後、これらインナーハウジングを合体してシールドシェルのシールド部に装着することができるので、シールド電線の皮を剥ぐ長さが短い場合でも端子の挿入作業が容易になる。
【００１５】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１６】
【図１】本発明の一実施形態に係るシールドコネクタの分解斜視図である。
【図２】図１に示したインナーハウジングの要部拡大斜視図である。
【図３】図２に示したインナーハウジングの分割構造の変形例を示す要部拡大斜視図である。
【図４】図１に示したシールドシェルにインナーハウジングを収容した状態の縦断面図である。
【図５】（ａ）は相手コネクタの斜視図、（ｂ）は（ａ）に示した相手コネクタの断面図である。
【図６】従来のシールドコネクタの分解斜視図である。
【図７】従来のシールドコネクタの課題を説明するための要部分解斜視図である。
【発明を実施するための形態】
【００１７】
以下、本発明の一実施形態に係るシールドコネクタを図面を参照して説明する。
本実施形態に係るシールドコネクタ１１は、ＵＳＢ２．０（高速伝送用差動コネクタ）のケーブル側のシールドコネクタとして好適に用いることができる。
図１に示すように、シールドコネクタ１１は、端子１３と、インナーハウジング１５と、フロントフォルダ１７と、シールドシェル１９と、シールドシェルカバー２１と、アウターハウジング２３と、リヤフォルダ２５と、を具備する。
【００１８】
端子１３は、板金加工により成形される。本実施形態では図４に示す箱状の電気接触部２７を有する雌端子となる。電気接触部２７の内部には接触片２９が形成され、接触片２９は図５に示す相手雄端子の板状のタブ３１と接触する。電気接触部２７の上部には後述するハウジングランス３３が係止する端子曲げ部３５が形成されている。端子１３は、シールド電線３７に接続されて端子装着シールド電線３９を構成する。
【００１９】
シールド電線３７は、端子１３とのつなぎ部４１では、シース部４３やシールド箔４５の皮４７を剥ぐ必要がある。皮４７を剥いでいる部分は、インピーダンス不整合を引き起こし、伝送性能が悪くなるため、皮４７を剥ぐ距離は短ければ短いほどよい。
【００２０】
インナーハウジング１５は、合成樹脂材により成型される。シールド電線３７の複数のシールド線端末に圧着した端子１３が挿入される複数の端子収容室４９（図４参照）を備える。このインナーハウジング１５は、図２に示す複数の端子群５１ごとに端子１３を挿入可能な分割構造を有する。端子群５１とは、略同時に同じ方向から端子収容室４９に挿入される複数の端子１３のことを言う。
【００２１】
本実施形態では、インナーハウジング１５がアッパーインナーハウジング５３と、ロアーインナーハウジング５５との２つに分割される。アッパーインナーハウジング５３とロアーインナーハウジング５５との接合面５７には、双方を仮保持するための仮固定手段が設けられる。仮固定手段としては、凹凸係合部や、アリ溝状とこれに係合する凸条等が挙げられる。図示例ではロアーインナーハウジング５５の上面に凹状係合部５９が形成され、アッパーインナーハウジング５３の下面に図示しない凸状係合部が形成されている。
【００２２】
インナーハウジング１５の分割構造としては、この他、図３に示すように、複数の端子収容室４９における一部の端子収容室４９を構成するインナーハウジング１５の端子挿入側部分６１を二分割構造としてもよい。図示例では、段付インナーハウジング６３を形成し、段付インナーハウジング６３の段部６５に、一部の端子収容室４９を構成する端子挿入側部分６１を保持可能としている。段付インナーハウジング６３と端子挿入側部分６１との仮固定には、上記同様の仮固定手段を用いることができる。
【００２３】
この変形例に係る分割構造を有したインナーハウジング１５によれば、一部の端子収容室４９は、端子挿入側部分６１を開放した状態で、端子１３を挿入することができるので、全ての端子１３を同時に挿入する必要がなくなる。
【００２４】
インナーハウジング１５に形成される端子収容室４９には、それぞれの端子１３を挿着する。端子収容室４９は、図４に示すインナーハウジング１５の前面に開口するタブ挿通開口６７と連通する。端子収容室４９の後方は、端子挿入開口部６９としてインナーハウジング１５の後部で開口する。端子収容室４９の内部には片持ち梁状のハウジングランス３３が設けられ、ハウジングランス３３は端子収容室４９に挿入された端子１３の端子曲げ部３５に、端子挿入方向の後方から係止することで、端子１３を脱落規制して端子収容室４９に固定する。
【００２５】
フロントフォルダ１７は、図４に示す前面板７１を有して、インナーハウジング１５の前部に挿着される。前面板７１には、インナーハウジング１５のタブ挿通開口６７に一致する複数の窓部７３が形成される。前面板７１には複数のランス規制片７５が突設され、ランス規制片７５はハウジングランス３３の可撓空間に挿入される。ハウジングランス３３は、可撓空間にランス規制片７５が挿入されると、係止解除方向の移動が規制され、端子１３を二重ロックすることとなる。
【００２６】
図１に示すシールドシェル１９は、板金材を用いた板金加工により形成される。シールドシェル１９は、インナーハウジング１５を内方に挿入して覆う箱状のシールド部７７を有する。シールド部７７の後方には、シールド電線３７のシース部４３を圧着固定するバレル部７９が連設される。端子装着シールド電線３９の端子１３を挿着したインナーハウジング１５は、シールドシェル１９に挿入され、端子装着シールド電線３９のシース部４３がバレル部７９に加締め固定される。
【００２７】
シールドシェルカバー２１は、シールドシェル１９に、上方から覆うようにして装着される。シールドシェルカバー２１は、両側部に形成した係止穴８１を、シールド部７７の両側部に形成した係止爪８３に係止して、シールド部７７に固定される。
【００２８】
アウターハウジング２３は、合成樹脂材により角筒状に成形される。アウターハウジング２３の内方には、シェル装着空間８５が形成される。シェル装着空間８５には、シールドシェル１９に覆われたインナーハウジング１５が挿入される。シェル装着空間８５に、インナーハウジング１５を収容したアウターハウジング２３は、後部にリヤフォルダ２５が係止される。アウターハウジング２３にリヤフォルダ２５が係止されることで、インナーハウジング１５の脱落が規制されるとともに、インナーハウジング１５から導出されたシールド電線３７が支持される。
【００２９】
図５に示した相手コネクタ８７は、相手アウターハウジング８９の外側がアウターシールドシェル９１によって覆われる。アウターシールドシェル９１には基板接続部９３が垂設され、基板接続部９３は図示しない電子機器の基板に形成されるスルーホールに半田付けされ、同時に基板のグランドに接続される。相手アウターハウジング８９の内方には、シールドコネクタ１１を受け入れるためのコネクタ嵌合空間９５が形成される。コネクタ嵌合空間９５には、相手インナーハウジング９７が設けられ、相手インナーハウジング９７は複数の相手雄端子であるタブ３１を収容している。タブ３１は、リード部９９が図示しない基板のスルーホールに半田付けされて、所定回路に接続される。このタブ３１がシールドコネクタ１１の端子１３と接続されることとなる。相手インナーハウジング９７は、相手インナーシェル１０１によって覆われる。相手インナーシェル１０１には基板接続部９３が垂設され、基板接続部９３は図示しない基板のスルーホールに半田付けされ、同時に基板のグランドに接続される。
【００３０】
次に、上記構成を有するシールドコネクタ１１の組立手順と、シールドコネクタ１１の作用を説明する。
シールドコネクタ１１を組み立てるには、図１に示したように、シールド電線３７の複数のシールド線端末に端子１３を圧着接続して、端子装着シールド電線３９とする。端子装着シールド電線３９の端子１３を、複数のインナーハウジング１５であるアッパーインナーハウジング５３と、ロアーインナーハウジング５５のそれぞれの端子収容室４９に挿入する。
【００３１】
次いで、アッパーインナーハウジング５３とロアーインナーハウジング５５を合体し、フロントフォルダ１７を前方より組み付ける。フロントフォルダ１７を組み付けたインナーハウジング１５をシールドシェル１９のシールド部７７に装着する。シールドシェル１９に挿着されたインナーハウジング１５は、後方から導出されるシールド電線３７のシース部４３を、シールドシェル１９のバレル部７９で圧着固定する。
【００３２】
バレル部７９近傍のシールド線露呈部は、シールドシェルカバー２１を装着して覆われる。そして、シールドシェル１９をアウターハウジング２３に挿着する。最後に、インナーハウジング１５を収容したアウターハウジング２３に、リヤフォルダ２５を係止してシールドコネクタ１１の組立を完了する。
【００３３】
上述した本実施形態に係るシールドコネクタ１１の組立方法によれば、従来、一度に挿入されていた端子装着シールド電線３９の端子１３が、図２に示す数の少ない端子群５１に分けて挿入が可能となる。数の少ない端子群５１では、端子群全体でのつなぎ部４１の剛性が低く抑えられる。また、多数の端子収容室４９が隣接していた一体のインナーハウジング６０９（図７参照）に比べ、端子収容室４９の数が少ないアッパーインナーハウジング５３、ロアーインナーハウジング５５に分割されるので、複数の端子収容室４９への端子挿入時に、端子装着シールド電線３９同士の干渉が生じ難くなり、端子挿入作業が容易となる。
【００３４】
また、本実施形態に係るシールドコネクタ１１によれば、インナーハウジング１５が分割されているので、それぞれにシールド電線３７を圧着した状態の複数の端子１３を数の少ない端子群５１ごとに、各インナーハウジング１５に挿入することができるようになる。これにより、シールド電線３７の皮４７を剥ぐ長さが短く、つなぎ部４１の剛性が高い端子装着シールド電線３９の場合であっても、小分けした端子群ごとにインナーハウジング１５に対する挿入方向を変えることができ、隣接する端子装着シールド電線３９同士の干渉が生じ難くなるので、端子挿入作業が容易となる。
【００３５】
なお、本発明のシールドコネクタ及びシールドコネクタの組立方法は、上述した実施形態に限定されるものではなく、適宜、変形、改良等が可能である。その他、上述した実施形態における各構成要素の材質、形状、寸法、数、配置箇所等は本発明を達成できるものであれば任意であり、限定されない。
【符号の説明】
【００３６】
１１…シールドコネクタ
１３…端子
１５…インナーハウジング
１９…シールドシェル
２３…アウターハウジング
３７…シールド電線
４３…シース部
４９…端子収容室
５１…端子群
５３…アッパーインナーハウジング
５５…ロアーインナーハウジング
６１…端子挿入側部分
７７…シールド部
７９…バレル部
【図１】
0005756700.tif 000002
【図２】
0005756700.tif 000003
【図３】
0005756700.tif 000004
【図４】
0005756700.tif 000005
【図５】
0005756700.tif 000006
【図６】
0005756700.tif 000007
【図７】
0005756700.tif 000008